(57)【要約】【課題】表層土の飛砂（土）および降雨時における表層土の流出を防止することを目的とする。【解決手段】表層土の地表面を、網目体を複数重ね合わせて披着張設する方法。【選択図】図１
2015004247.tif 000002
【特許請求の範囲】
【請求項１】
表層土の地表面を、網目体を複数重ね合わせて披着張設することを特徴とする、飛砂（土）および降雨時における表層土の流出を防止する方法。
【発明の詳細な説明】
【技術分野】
【０００１】
本発明は、表層土の飛砂(土)および降雨時における表層土の流出を防止する方法に関する。
【背景技術】
【０００２】
従来、空港、宅地造成地、埋立地、養浜等において、盛土をしたり、山を削って新しい斜面地を造成したり、海岸に養浜を形成したりすることが頻繁に行われている。また最近は、福島第１原子力発電所の事故による放射性物質に汚染された汚染土の飛散が問題になっている。
そして、これらの表層土からの飛砂（土）によって風下に被害をもたらし、特に放射性物質に汚染された汚染土の拡散により、さらに放射性物質による汚染区域の拡大が問題になっている。
【０００３】
従来これらの問題点を解決する方法として、表層土表面上部に地面から間隔をおいて網状抵抗体を設置する、表層土の飛砂（土）および降雨時における濁水の防止方法が提案されている（特許文献１）。しかしながら、この方法は、短期間の間は効果が認められるが、長期にわたるとその効果が徐々に低下する欠点があった。
【先行技術文献】
【特許文献】
【０００４】
【特許文献１】特開平６―２６４４１５公報
【発明の概要】
【発明が解決しようとする課題】
【０００５】
そこで本発明者は、盛土地、斜面地、海岸の養浜、放射性物質による汚染地における表層土の飛砂（土）の防止および降雨時における表層土の流出を長期間にわたり防止する方法について種々研究した結果本発明を完成するに至った。
【課題を解決するための手段】
【０００６】
すなわち、本発明は、表層土の地表面を、網目体を複数重ね合わせて披着することによって飛砂（土）および降雨時における表層土の流出を防止する方法である。
【発明の効果】
【０００７】
本発明方法によれば、長期間にわたり風が吹いても網目体と表層土の地表面との間に停滞層が生ずることによって砂（土）の飛砂（土）を防止することができ、また降雨時に表層土が濁水として流出することを防止することができる。
また表層土の地表面と網目体との間に間隔を設けた場合には長期間にわたり網目体が砂（土）に埋没することなく、かつ風通し、水通しが良く盛土周辺の自然環境に悪影響を及ぼすことがない。
【図面の簡単な説明】
【０００８】
【図１】本発明の網目体の一例を表す平面図
【図２】地表面に網目体を張設したときの断面図
【図３】地表面に網目体を披着し、さらに間隔保持材を介して他の網目体を重ねて張設したときの断面図
【図４】図２の平面図
【図５】保持具を用いるときの断面図
【図６】地表面に間隔保持材を固定し、その上に網目体を重ねて張設したときの断面図
【発明を実施するための形態】
【０００９】
まず本発明方法に使用する網目体１としては、天然繊維、合成繊維、金属等からなる網類、パンチングメタル等の有穴状のシート状のものであればいずれも使用することができるが、なかでも網類が好ましい。網目体１の目の形状としては円形、三角形、四角形、六角形、星形、等の種々の形状のものが使用できるが特に六角形の網目体１が好適である。網目体１の目開きは施工する場所の気象条件等によって適宜決定すれば良いが、一般的には１〜４００ｍｍ２であることが好ましい。
【００１０】
本発明の網目体１として網類を使用する場合、結節網、無結節網、綟子網、織網等いずれのものも使用することができる。
また本発明方法に網目体１の他の態様としては、図１に示す様に間隔を設けて、縦列／またはおよび横列に帯状シートＳを付設したものも使用できる。このような網状体１の変形として帯状シートＳを付けた網目体１を使用すると、網目体１の上を風が吹くとき、多くの素線と帯状シートＳの抵抗と渦発生により網目体１の下側の空気を流動させるエネルギーが大幅に減衰してしまうため表層土表面を流れる風の速度が極めて遅くなり、停滞層が生ずることによって砂（土）の飛砂（土）を防止することが出来る。
即ち、網目体１の素線では緩やかな抵抗と渦発生を発生し、帯状シートＳでは強い抵抗と渦発生を発生し、網目体１の下側の空気を異なった流動させるエネルギーが発生する事で多種な粒子の砂（土）の飛砂（土）を防止することができるのである。
尚、帯状シートＳが縦方向並びに横方向に付設したものもは、どの風の方向にもその効果を発揮するのみならず、素線面が帯状シートＳに囲まれた区画をなす構造から、網目体１の上を吹く風の影響をその区画内でエネルギーを減衰してしまうため、網目体１の全体にエネルギーを伝達・増加されることが小さくなり、より多くのエネルギーを減衰することが出来る。
【００１１】
次に本発明方法について説明する。
まず本発明方法は、表層土の地表面（以下単に地表面と言うことがある）に網目体１を複数用いて重層状として用いることが必要である。またその際網目体１の目の形状が同一のものを用いても、異なる形状のものと組合わせて用いることもできる。さらに目開きの異なるものを組合わせて用いることもできる。
【００１２】
次に本発明方法の代表的な施工例について説明する。
図２は地表面２に網目体１を３枚重層状に重ね合わせた場合である。目形状が６角形（目開き４ｍｍ２）の網３（網目体１）を地表面に接するように保持具４によって固着（図示せず）張設する。次に展着された網３の上面に網１と同じものを目開きを合わせて網３′を重ね合わせて前記と同様にして張設する。さらに網３′の上面に前記と同様に目開きを合わせて網３″を張設する。
【００１３】
図３は１枚の網を地表面に接するように張設して２枚目以降は、１枚目と２枚目との間に間隔を設けて張設した場合の施行例である。
目形状が四角形（目開き１００ｍｍ２）の網３を地表面２に接するように張設する。次に網３の上面に間隔保持材５を用いて２０ｃｍの間隔Ｈをあけて網３と同一の網３′を張設する。さらに網３″を網３′の上面に接するように張設する。
【００１４】
本発明方法に使用する保持具４としては図５に示すように杭６の地表面に接する部分に鍔状のストッパー７を設けることによって杭６を差し込む位置（深さ）が決められる他、風等によって杭６を強固に保持することができる。また杭６の長さは張設する網目体１の枚数および間隔の幅を考慮して適宜決定することができる。
【００１５】
また本発明に使用する間隔保持材５としては廃タイヤの他パイプ、フロート、コンクリートブロック、杭材等が揚げられる。
【００１６】
前記間隔保持材５は、それぞれ固定材８によって固定する。固定材８としてはロープの他、丸パイプ、角パイプ、チェーン、ワイヤー、木材等が揚げられる。
【００１７】
さらに本発明方法の他の態様として図６に示すように地表面２に適当な間隔を設けて間隔保持材５を固定設置し、その上に網３を張設し、さらに網３の上面に重ねるように網３′を張設し、さらに網３′の上面に重ねるように網３″を張設する。
上記施工例の他の態様として、それぞれの網目体１を間隔保持材５を介して一枚毎に間隔を設けて張設することもできる。
【００１８】
本発明方法の他の施工例として、盛土面積が広いときに工事区域を複数区画に分け、網目体１を分割して配設して、飛砂（土）および降雨時の表層土の流出防止を行い作業前の作業環境を整え、作業時には作業区画のみを網目体１を取り外して作業し、作業終了後はこの区画に網目体１を再度配設することによって、他からの飛砂（土）および降雨時の表層土の流出防止することにより全工事区域の飛砂（土）および降雨時の表層土の流出を防止することに効果を発揮出来た。
【００１９】
前記各施工例において網の目の形状および目開きの異なるものを組合わせて使用することもできる。
そして前記施工例で実施したところいずれも長期間にわたり飛砂（土）および降雨時の表層土の流出を防止することができた。
【符号の説明】
【００２０】
１・・・網目体
２・・・地表面
３・・・網
５・・・間隔保持材
６・・・保持具
【図１】
2015004247.tif 000003
【図２】
2015004247.tif 000004
【図３】
2015004247.tif 000005
【図４】
2015004247.tif 000006
【図５】
2015004247.tif 000007
【図６】
2015004247.tif 000008